(57)【要約】【課題】１つの情報コードを読み取る場合でもその読み取り状況に応じた情報を選択して出力し得る携帯端末を提供する。【解決手段】第１〜第３情報とこれら各情報のいずれか１つを時間情報に応じて選択するための選択基準を有する命令コードとが含まれる情報コードを読取対象とする。そして、デコードが実施された実施日時Ｔとこの実施によりデコードされた情報コードに含まれる命令コードの選択基準とに基づいて、当該情報コードに含まれる第１〜第３情報のいずれか１つが選択されて出力され、その情報が表示部２４に表示される。【選択図】図４
2011170434.tif 000002
【特許請求の範囲】
【請求項１】
情報コードを撮像可能な撮像手段と、この撮像手段により撮像された前記情報コードをデコードするデコード手段と、を備える携帯端末であって、
前記情報コードには、複数の読取情報とこれら各読取情報のいずれか１つを時間情報に応じて選択するための選択基準を有する命令コードとが含まれ、
前記デコード手段によるデコードが実施された実施日時とこの実施によりデコードされた情報コードに含まれる前記命令コードの選択基準とに基づいて、当該情報コードに含まれる前記各読取情報のいずれか１つを選択して出力する出力手段を備えることを特徴とする携帯端末。
【請求項２】
前記時間情報は、予め設定された設定日時から前記実施日時までの経過時間であることを特徴とする請求項１に記載の携帯端末。
【請求項３】
前記情報コードを最初にデコードした日時を基準日時として当該情報コード毎に対応させてそれぞれ記憶する記憶手段を備え、
前記時間情報は、前記デコード手段によりデコードされた前記情報コードに対応する前記基準日時が前記記憶手段に記憶されているとき、この基準日時から当該デコードが実施された実施日時までの経過時間であることを特徴とする請求項１に記載の携帯端末。
【請求項４】
前記選択基準は、当該携帯端末に対して予め設定された設定レベルと前記時間情報とに基づいて前記各読取情報のいずれか１つが選択されるように設定されることを特徴とする請求項１〜３のいずれか一項に記載の携帯端末。
【請求項５】
前記設定レベルは、当該携帯端末がその設定レベルに対応するキー情報を有しているか否かに応じて設定されることを特徴とする請求項４に記載の携帯端末。
【請求項６】
情報コードを撮像可能な撮像手段と、この撮像手段により撮像された前記情報コードをデコードするデコード手段と、を備える携帯端末であって、
前記情報コードには、複数の読取情報とこれら各読取情報のいずれか１つを当該携帯端末に対して予め設定された設定レベルに応じて選択するための選択基準を有する命令コードとが含まれ、
当該携帯端末の前記設定レベルと前記デコード手段によりデコードされた情報コードに含まれる前記命令コードの選択基準とに基づいて、当該情報コードに含まれる前記各読取情報のいずれか１つを選択して出力する出力手段を備えることを特徴とする携帯端末。
【請求項７】
前記設定レベルは、当該携帯端末がその設定レベルに対応するキー情報を有しているか否かに応じて設定されることを特徴とする請求項６に記載の携帯端末。
【発明の詳細な説明】
【技術分野】
【０００１】
本発明は、撮像された情報コードをデコードして読み取る携帯端末に関するものである。
【背景技術】
【０００２】
従来、撮像された情報コードをデコードして読み取る携帯端末に関する技術として、下記特許文献１に示すカメラ付きの携帯端末が知られている。この携帯端末は、二次元コード取得装置として撮像機能を有するもので、カラーのデータマークが正方格子状に配列された二次元コードを読取対象とするように構成されている。この二次元コードの復元時の動作、例えば、静止画の表示等は、サーバのデータベースに予め記録されており、携帯端末が上記二次元コードを読み取ると、この二次元コードに対応する動作がサーバのプログラムを介して実行されるようになっている。
【０００３】
また、下記特許文献２に示す車載制御装置では、携帯電話機等の表示器に表示された二次元コードを車両に搭載された車載カメラで読み取り、車両アプリ実行ＥＣＵにおいて二次元コードの内容にしたがって車両内のアクチュエータの制御、例えばドアロック制御を行なうように構成されている。
【先行技術文献】
【特許文献】
【０００４】
【特許文献１】特開２００９−２２３４９８号公報
【特許文献２】特開２００６−１５１２６６号公報
【発明の概要】
【発明が解決しようとする課題】
【０００５】
ところで、上記特許文献１，２のような構成では、情報コードを読み取ると、当該情報コードに応じた一定の情報のみが出力等されるため、読み取った時間や読取者等に応じた出力情報の切り替えを円滑に実施することが困難である。そのため、一旦情報コードが印刷等で表示されると、この情報コードから読み取られる情報を切り替えることができないので、その場合には、当該情報コードに代えて切り替え後の情報を含む情報コードを新たに印刷等で表示しなければならないという問題がある。
【０００６】
本発明は、上述した課題を解決するためになされたものであり、その目的とするところは、１つの情報コードを読み取る場合でもその読み取り状況に応じた情報を選択して出力し得る携帯端末を提供することにある。
【課題を解決するための手段】
【０００７】
上記目的を達成するため、特許請求の範囲に記載の請求項１の携帯端末では、情報コードを撮像可能な撮像手段と、この撮像手段により撮像された前記情報コードをデコードするデコード手段と、を備える携帯端末であって、前記情報コードには、複数の読取情報とこれら各読取情報のいずれか１つを時間情報に応じて選択するための選択基準を有する命令コードとが含まれ、前記デコード手段によるデコードが実施された実施日時とこの実施によりデコードされた情報コードに含まれる前記命令コードの選択基準とに基づいて、当該情報コードに含まれる前記各読取情報のいずれか１つを選択して出力する出力手段を備えることを特徴とする。
【０００８】
請求項２の発明は、請求項１に記載の携帯端末において、前記時間情報は、予め設定された設定日時から前記実施日時までの経過時間であることを特徴とする。
【０００９】
請求項３の発明は、請求項１に記載の携帯端末において、前記情報コードを最初にデコードした日時を基準日時として当該情報コード毎に対応させてそれぞれ記憶する記憶手段を備え、前記時間情報は、前記デコード手段によりデコードされた前記情報コードに対応する前記基準日時が前記記憶手段に記憶されているとき、この基準日時から当該デコードが実施された実施日時までの経過時間であることを特徴とする。
【００１０】
請求項４の発明は、請求項１〜３のいずれか一項に記載の携帯端末において、前記選択基準は、当該携帯端末に対して予め設定された設定レベルと前記時間情報とに基づいて前記各読取情報のいずれか１つが選択されるように設定されることを特徴とする。
【００１１】
請求項５の発明は、請求項４に記載の携帯端末において、前記設定レベルは、当該携帯端末がその設定レベルに対応するキー情報を有しているか否かに応じて設定されることを特徴とする。
【００１２】
特許請求の範囲に記載の請求項６の携帯端末では、情報コードを撮像可能な撮像手段と、この撮像手段により撮像された前記情報コードをデコードするデコード手段と、を備える携帯端末であって、前記情報コードには、複数の読取情報とこれら各読取情報のいずれか１つを当該携帯端末に対して予め設定された設定レベルに応じて選択するための選択基準を有する命令コードとが含まれ、当該携帯端末の前記設定レベルと前記デコード手段によりデコードされた情報コードに含まれる前記命令コードの選択基準とに基づいて、当該情報コードに含まれる前記各読取情報のいずれか１つを選択して出力する出力手段を備えることを特徴とする。
【００１３】
請求項７の発明は、請求項６に記載の携帯端末において、前記設定レベルは、当該携帯端末がその設定レベルに対応するキー情報を有しているか否かに応じて設定されることを特徴とする。
【発明の効果】
【００１４】
請求項１の発明では、複数の読取情報とこれら各読取情報のいずれか１つを時間情報に応じて選択するための選択基準を有する命令コードとが含まれる情報コードが読取対象である。そして、デコード手段によるデコードが実施された実施日時とこの実施によりデコードされた情報コードに含まれる命令コードの選択基準とに基づいて、当該情報コードに含まれる各読取情報のいずれか１つが出力手段により選択されて出力される。
【００１５】
これにより、デコードが実施された実施日時に応じて各読取情報のいずれか１つが選択されるので、１つの情報コードを読み取る場合でも、その読み取り状況に応じた情報を選択して出力することができる。
【００１６】
請求項２の発明では、時間情報は、予め設定された設定日時から実施日時までの経過時間であるため、例えば、食品等に貼り付けされる情報コードの価格に関する情報を、製造日時から所定時間経過する毎にその価格が低下するように切り替えて出力することができる。
【００１７】
請求項３の発明では、時間情報は、デコード手段によりデコードされた情報コードに対応する基準日時が記憶手段に記憶されているとき、この基準日時から当該デコードが実施された実施日時までの経過時間として設定される。このため、上記経過時間の開始日時の基準となる基準日時が読み取りに応じて変わる場合であっても、当該経過時間に応じた情報を選択して出力することができる。
【００１８】
請求項４の発明では、選択基準は、当該携帯端末に対して予め設定された設定レベルと時間情報とに基づいて各読取情報のいずれか１つが選択されるように設定される。これにより、１つの情報コードを読み取る場合でも、当該携帯端末の優位性等に応じた設定レベルと時間情報との双方を考慮して、その読み取り状況に応じた情報を選択して出力することができる。
【００１９】
請求項５の発明では、設定レベルは、当該携帯端末がその設定レベルに対応するキー情報を有しているか否かに応じて設定されるため、設定レベルに関する設定を容易に実施することができる。
【００２０】
請求項６の発明では、情報コードには、複数の読取情報とこれら各読取情報のいずれか１つを当該携帯端末に対して予め設定された設定レベルに応じて選択するための選択基準を有する命令コードとが含まれている。そして、当該携帯端末の設定レベルとデコードされた情報コードに含まれる命令コードの選択基準とに基づいて、当該情報コードに含まれる各読取情報のいずれか１つが出力手段により選択されて出力される。
【００２１】
これにより、予め設定された設定レベルに応じて各読取情報のいずれか１つが選択されるので、１つの情報コードを読み取る場合でも、その読み取り状況に応じた情報を選択して出力することができる。
【００２２】
請求項７の発明では、設定レベルは、当該携帯端末がその設定レベルに対応するキー情報を有しているか否かに応じて設定されるため、設定レベルに関する設定を容易に実施することができる。
【図面の簡単な説明】
【００２３】
【図１】第１実施形態に係る携帯電話の電気的構成を示すブロック図である。
【図２】第１実施形態での経過時間と出力情報の関係を示す説明図である。
【図３】第１実施形態における読取処理の流れを例示するフローチャートの一部である。
【図４】第１実施形態における読取処理の流れを例示するフローチャートの一部である。
【図５】第２実施形態における読取処理の流れを例示するフローチャートの一部である。
【図６】第３実施形態における読取処理の流れを例示するフローチャートの一部である。
【図７】第４実施形態における読取処理の流れを例示するフローチャートの一部である。
【発明を実施するための形態】
【００２４】
［第１実施形態］
以下、本発明の携帯端末をデジタルカメラの機能が付加された携帯電話に適用した第１実施形態について、図面を参照して説明する。図１は、第１実施形態に係る携帯電話１０の電気的構成を示すブロック図である。
図１に示すように、携帯電話１０は、携帯電話としての通常の通信処理に加えて、カメラ機能を有する撮像部２２からの画素信号に基づいて撮像された画像データを処理する制御部２１を備えている。これにより、当該携帯電話１０は、上記画像データに含まれる一次元コードや二次元コード等の情報コード（図１では商品Ｒに付された情報コードＣを例示）を読み取る装置として構成される。なお、撮像部２２は、特許請求の範囲に記載の「撮像手段」の一例に相当する。
【００２５】
また、携帯電話１０は、複数のキー等により構成される操作部２３と、液晶等により構成される表示部２４とを備えている。制御部２１は、操作部２３からの入力操作に応じて後述する読取処理を実施することで撮像部２２および表示部２４を制御する。そして、撮像部２２により撮像された画像データや制御部２１により処理された情報データおよび読取処理を実施するためのプログラムなどは、メモリ２５に記憶されるように構成されている。
【００２６】
次に、上述のように構成される携帯電話１０において制御部２１により実施される情報コードを光学的に読み取る読取処理について図を用いて説明する。特に、本第１実施形態では、通常のバーコードや二次元コードに加えて、複数の読取情報とこれら各読取情報のいずれか１つを時間情報に応じて選択するための選択基準を有する命令コードとが含まれる情報コード（以下、特定コードともいう）を読取対象とする。なお、当該読取処理を実施するためのプログラムは、当該特定コードを管理する管理会社のサーバ等にアクセスして取得されることで予めメモリ２５に記憶されているものとする。
【００２７】
上記選択基準では、図２に例示するように、予め設定された設定日時Ｔ０に対して第１の時間だけ経過した日時が第１日時Ｔ１、上記設定日時Ｔ０に対して第２の時間だけ経過した日時が第２日時Ｔ２、設定日時Ｔ０に対して第３の時間だけ経過した日時が第３日時Ｔ３と設定される。そして、上記選択基準は、デコードが実施された日時（以下、実施日時Ｔともいう）が設定日時Ｔ０から第１日時Ｔ１が経過するまでは第１情報が出力され、第１日時Ｔ１の経過から第２日時Ｔ２が経過するまでは第２情報が出力され、第２日時Ｔ２の経過から第３日時Ｔ３が経過するまでは第３情報が出力されるように設定されている。
【００２８】
具体的には、本第１実施形態の特定コードは、例えば、広告に表示されて携帯電話１０に光学的に読み取られることで当該広告における掲載商品の割引クーポンが実施日時に応じて表示部２４に表示されるように構成されている。本第１実施形態では、例えば、実施日時が第１日時Ｔ１として１０月１日を経過するまでは、第１情報として５％引きクーポンの情報が出力されて表示される。また、実施日時が第１日時Ｔ１を経過すると第２日時Ｔ２として１１月１日を経過するまでは、第２情報として１０％引きクーポンの情報が出力されて表示される。そして、実施日時が第２日時Ｔ２を経過すると第３日時Ｔ３として１２月１日を経過するまでは、第３情報として２０％引きクーポンの情報が出力されて表示される。なお、第１〜第３情報は、特許請求の範囲に記載の「複数の読取情報」の一例に相当し得る。
【００２９】
以下、上記読取処理について、図３および図４に示すフローチャートを参照して詳細に説明する。まず、使用者が撮像部２２を情報コードＣに向けて当該情報コードＣを撮像すると、図３のステップＳ１０１においてＹｅｓと判定される。次に、ステップＳ１０３にてラベリング処理がなされ、取得した画像データによって構成される画像内において情報コードが存在するコード領域（コードらしさ）が検出される。続いて、ステップＳ１０５にてマッピング処理がなされ、検出されたコード領域が所定のマトリクス状の諧調デジタル照度レベル値に変換される。そして、ステップＳ１０７にてコードワード抽出処理がなされ、各セルの中心座標の諧調データから決定された明／暗セルがコードワード列に変換される。続いて、ステップＳ１０９にて誤り訂正処理がなされた後、ステップＳ１１１にて上記コードワード列が所定の規則に応じてデコードされる。
【００３０】
次に、ステップＳ１１３において、デコード結果に上述した命令コードが含まれるか否かについて判定される。ここで、デコード結果に命令コードが含まれていない場合、すなわち、上記特定コードと異なる通常の情報コードについてデコード処理が実施された場合には（Ｓ１１３でＮｏ）、ステップＳ１１５にて、デコード結果出力処理がなされる。この処理によりデコード結果に応じて取得された情報を表示部２４に表示するための処理がなされ、当該読取処理が終了する。なお、デコード処理が失敗した場合には、当該読取処理が終了するか、上記ステップＳ１０１からの処理が実施される。また、ステップＳ１１１の処理を実施する制御部２１は、特許請求の範囲に記載の「デコード手段」の一例に相当する。
【００３１】
一方、上記ステップＳ１１１におけるデコード結果に上記命令コードが含まれている場合には、ステップＳ１１３にてＹｅｓと判定されて、図４のステップＳ１１７にて実施日時取得処理がなされ、現時点における日時が実施日時Ｔとして取得される。そして、ステップＳ１１９にて実施日時Ｔが第１日時Ｔ１（１０月１日）を経過しているか否かについて判定される。ここで、実施日時Ｔが第１日時Ｔ１を経過していなければ、ステップＳ１１９にてＮｏと判定されて、ステップＳ１２１にて第１情報出力処理がなされる。この処理では、第１情報である５％引きクーポンの情報を表示部２４に表示するための出力処理がなされる。これにより、使用者は、５％引きクーポンが表示された表示部２４を店員等に見せることで、上記掲載商品を５％引きで購入することができる。
【００３２】
上述したステップＳ１１９において、実施日時Ｔが第１日時Ｔ１を経過していることからＹｅｓと判定されると、ステップＳ１２３にて実施日時Ｔが第２日時Ｔ２（１１月１日）を経過しているか否かについて判定される。ここで、実施日時Ｔが第２日時Ｔ２を経過していなければ、ステップＳ１２３にてＮｏと判定されて、ステップＳ１２５にて第２情報出力処理がなされる。この処理では、第２情報である１０％引きクーポンの情報を表示部２４に表示するための出力処理がなされる。これにより、使用者は、１０％引きクーポンが表示された表示部２４を店員等に見せることで、上記掲載商品を１０％引きで購入することができる。
【００３３】
上述したステップＳ１２３において、実施日時Ｔが第２日時Ｔ２を経過していることからＹｅｓと判定されると、ステップＳ１２７にて実施日時Ｔが第３日時Ｔ３（１２月１日）を経過しているか否かについて判定される。ここで、実施日時Ｔが第３日時Ｔ３を経過していなければ、ステップＳ１２７にてＮｏと判定されて、ステップＳ１２９にて第３情報出力処理がなされる。この処理では、第３情報である２０％引きクーポンの情報を表示部２４に表示するための出力処理がなされる。これにより、使用者は、２０％引きクーポンが表示された表示部２４を店員等に見せることで、上記掲載商品を２０％引きで購入することができる。なお、実施日時Ｔが第３日時Ｔ３を経過すると、期限切れであり各割引情報を消失させるために、ステップＳ１２７にてＹｅｓと判定されて、デコード結果を出力することなく当該読取処理が終了する。
【００３４】
以上説明したように、本第１実施形態に係る携帯電話１０は、第１〜第３情報とこれら各情報のいずれか１つを時間情報に応じて選択するための選択基準を有する命令コードとが含まれる情報コードを読取対象とする。そして、デコードが実施された実施日時Ｔとこの実施によりデコードされた情報コードに含まれる命令コードの選択基準とに基づいて、当該情報コードに含まれる第１〜第３情報のいずれか１つが選択されて出力され、その情報が表示部２４に表示される。
【００３５】
これにより、デコードが実施された実施日時Ｔに応じて第１〜第３情報のいずれか１つが選択されるので、１つの情報コードを読み取る場合でも、その読み取り状況に応じた情報を選択して出力することができる。
【００３６】
また、本第１実施形態に係る携帯電話１０では、上記時間情報は、予め設定された設定日時Ｔ０から実施日時Ｔまでの経過時間であるため、上述のような割引クーポンだけでなく、例えば、食品等に貼り付けされる情報コードの価格に関する情報を、製造日時（設定日時Ｔ０）から所定時間経過する毎にその価格が低下するように切り替えて出力することもできる。
【００３７】
［第２実施形態］
次に、本発明の第２実施形態に係る携帯電話１０について図５を参照して説明する。図５は、第２実施形態における読取処理の流れを例示するフローチャートの一部である。
本第２実施形態に係る携帯電話１０では、上記選択基準における時間情報が、記憶された基準日時から実施日時までの経過時間であり、上述した読取処理を図３および図４に示すフローチャートに代えて図３および図５に示すフローチャートに基づいて演算処理している点が、上記第１実施形態に係る携帯電話と異なる。したがって、第１実施形態の携帯電話と実質的に同一の構成部分には、同一符号を付し、その説明を省略する。
【００３８】
本第２実施形態では、上記選択基準は、初めてデコードが実施された日時が基準日時Ｔｓとして記憶されるとき、この基準日時Ｔｓからの経過時間（以下、経過時間ΔＴともいう）が、第１経過時間ΔＴ１未満であれば上記第１情報が出力され、第２経過時間ΔＴ２未満であれば上記第２情報が出力され、第３経過時間ΔＴ３未満であれば上記第３情報が出力されるように設定されている。ここで、本第２実施形態では、例えば、第１経過時間ΔＴ１は１週間に設定され、第２経過時間ΔＴ２は２週間に設定され、第３経過時間ΔＴ３は３週間に設定される。
【００３９】
以下、本第２実施形態における読取処理について、図３および図５に示すフローチャートを参照して詳細に説明する。上記第１実施形態と同様に、図３のステップＳ１０１からの処理がなされてステップＳ１１３にてＹｅｓと判定されると、図５のステップＳ１１７にて現時点における日時が実施日時Ｔとして取得される。そして、ステップＳ１１８において、上記ステップＳ１１１にてデコードされた情報コードが登録済みの登録済コードであるか否かについて判定される。
【００４０】
ここで、初めてデコードされた情報コードであり当該情報コードが登録済コードでない場合には、ステップＳ１１８にてＮｏと判定される。次に、ステップＳ１１８ａにて当該情報コードが登録済コードとしてメモリ２５に記憶されるとともにこのデコードが実施された日時が基準日時Ｔｓとしてメモリ２５に記憶される。そして、ステップＳ１２１にて上記第１実施形態と同様に、第１情報出力処理がなされる。
【００４１】
一方、上述したステップＳ１１８において、以前デコードされていることから、デコードされた情報コードが上記ステップＳ１１８ａにて既に記憶された登録済コードである場合には、ステップＳ１１８にてＹｅｓと判定される。次に、ステップＳ１１８ｂにて基準日時取得処理がなされて、当該デコードされた情報コードに対応する基準日時Ｔｓがメモリ２５から読み出されて取得される。続いて、ステップＳ１１９ａにて、基準日時Ｔｓから実施日時Ｔまでの経過時間ΔＴが第１経過時間ΔＴ１（１週間）未満か否かについて判定される。ここで、当該経過時間ΔＴが第１経過時間ΔＴ１未満であれば、ステップＳ１１９ａにてＹｅｓと判定されて、ステップＳ１２１にて上記第１実施形態と同様に第１情報出力処理がなされる。
【００４２】
上述したステップＳ１１９ａにおいて、経過時間ΔＴが第１経過時間ΔＴ１以上であることからＮｏと判定されると、ステップＳ１２３ａにて経過時間ΔＴが、第２経過時間ΔＴ２（２週間）未満か否かについて判定される。ここで、経過時間ΔＴが第２経過時間ΔＴ２未満であれば、ステップＳ１２３ａにてＹｅｓと判定されて、ステップＳ１２５にて上記第１実施形態と同様に第２情報出力処理がなされる。
【００４３】
上述したステップＳ１２３ａにおいて、経過時間ΔＴが第２経過時間ΔＴ２以上であることからＮｏと判定されると、ステップＳ１２７ａにて経過時間ΔＴが、第３経過時間ΔＴ３（３週間）未満か否かについて判定される。ここで、経過時間ΔＴが第３経過時間ΔＴ３未満であれば、ステップＳ１２７ａにてＹｅｓと判定されて、ステップＳ１２９にて上記第１実施形態と同様に第３情報出力処理がなされる。なお、経過時間ΔＴが第３経過時間ΔＴ３以上になると、期限切れであり各割引情報を消失させるために、ステップＳ１２７ａにてＮｏと判定されて、デコード結果を出力することなく当該読取処理が終了する。
【００４４】
以上説明したように、本第２実施形態に係る携帯電話１０では、上記時間情報は、デコードされた情報コードに対応する基準日時Ｔｓがメモリ２５に記憶されているとき、この基準日時Ｔｓから実施日時Ｔまでの経過時間ΔＴとして設定される。このため、上記経過時間ΔＴの開始日時の基準となる基準日時Ｔｓが読み取りに応じて変わる場合であっても、当該経過時間ΔＴに応じた情報を選択して出力することができる。
【００４５】
［第３実施形態］
次に、本発明の第３実施形態に係る携帯電話１０について図６を参照して説明する。図６は、第３実施形態における読取処理の流れを例示するフローチャートの一部である。
本第３実施形態に係る携帯電話１０では、上記選択基準は、各読取情報のいずれか１つが当該携帯電話１０に対して予め設定された設定レベルに応じて選択されるように設定されており、上述した読取処理を図３および図４に示すフローチャートに代えて図３および図６に示すフローチャートに基づいて演算処理している点が、上記第１実施形態に係る携帯電話と異なる。したがって、第１実施形態の携帯電話と実質的に同一の構成部分には、同一符号を付し、その説明を省略する。
【００４６】
本第３実施形態では、上記設定レベルは、当該特定コードを管理する管理会社のサーバ等にアクセスして取得される所定のキー情報が予めメモリ２５に記憶されているかに応じて設定される。具体的には、設定レベルとして、優位性の高い方から第３レベル、第２レベルおよび第１レベルの３つの設定レベルが設定される。
【００４７】
以下、本第３実施形態における読取処理について、図３および図６に示すフローチャートを参照して詳細に説明する。上記第１実施形態と同様に、図３のステップＳ１０１からの処理がなされてステップＳ１１３にてＹｅｓと判定されると、図６のステップＳ２０１にて設定レベル取得処理がなされる。この処理では、既にメモリ２５に記憶されたキー情報に応じて設定レベルが取得される。
【００４８】
次に、ステップＳ２０３において、取得された設定レベルがレベル３か否かについて判定される。ここで、メモリ２５に記憶されたキー情報に応じて上記ステップＳ２０１にて取得された設定レベルがレベル３である場合には、ステップＳ２０３にてＹｅｓと判定されて、ステップＳ２０５にてレベル３情報出力処理がなされる。この処理では、レベル３情報として、例えば、２０％引きクーポンの情報を表示部２４に表示するための出力処理がなされる。これにより、使用者は、２０％引きクーポンが表示された表示部２４を店員等に見せることで、上記掲載商品を２０％引きで購入することができる。
【００４９】
上述したステップＳ２０３において、上記ステップＳ２０１にて取得された設定レベルがレベル３でない場合には（Ｓ２０３でＮｏ）、ステップＳ２０７にて設定レベルがレベル２か否かについて判定される。ここで、メモリ２５に記憶されたキー情報に応じて上記ステップＳ２０１にて取得された設定レベルがレベル２である場合には（Ｓ２０７でＹｅｓ）、ステップＳ２０９にてレベル２情報出力処理がなされる。この処理では、レベル２情報として、例えば、１０％引きクーポンの情報を表示部２４に表示するための出力処理がなされる。これにより、使用者は、１０％引きクーポンが表示された表示部２４を店員等に見せることで、上記掲載商品を１０％引きで購入することができる。
【００５０】
上述したステップＳ２０７において、上記ステップＳ２０１にて取得された設定レベルがレベル２でない場合には（Ｓ２０７でＮｏ）、ステップＳ２１１にて設定レベルがレベル１か否かについて判定される。ここで、メモリ２５に記憶されたキー情報に応じて上記ステップＳ２０１にて取得された設定レベルがレベル１である場合には（Ｓ２１１でＹｅｓ）、ステップＳ２１３にてレベル１情報出力処理がなされる。この処理では、レベル１情報として、例えば、５％引きクーポンの情報を表示部２４に表示するための出力処理がなされる。これにより、使用者は、５％引きクーポンが表示された表示部２４を店員等に見せることで、上記掲載商品を５％引きで購入することができる。なお、設定レベルに関するキー情報がメモリ２５に記憶されていない場合には、ステップＳ２１１にてＮｏと判定されて、デコード結果を出力することなく当該読取処理が終了する。
【００５１】
以上説明したように、本第３実施形態に係る携帯電話１０は、レベル１情報〜レベル３情報とこれら各読取情報のいずれか１つを設定レベルに応じて選択するための選択基準を有する命令コードとが含まれる情報コードが読取対象である。そして、設定レベルとデコードされた情報コードに含まれる命令コードの選択基準とに基づいて、当該情報コードに含まれるレベル１情報〜レベル３情報のいずれか１つが選択されて出力され、その情報が表示部２４に表示される。
【００５２】
これにより、予め設定された設定レベルに応じてレベル１情報〜レベル３情報のいずれか１つが選択されるので、１つの情報コードを読み取る場合でも、その読み取り状況に応じた情報を選択して出力することができる。
【００５３】
また、本第３実施形態に係る携帯電話１０では、設定レベルは、当該携帯電話１０がその設定レベルに対応するキー情報を有しているか否かに応じて設定されるため、設定レベルに関する設定を容易に実施することができる。
【００５４】
［第４実施形態］
次に、本発明の第４実施形態に係る携帯電話１０について図７を参照して説明する。図７は、第４実施形態における読取処理の流れを例示するフローチャートの一部である。
本第４実施形態に係る携帯電話１０では、上記選択基準は、各読取情報のいずれか１つが、当該携帯電話１０に対して予め設定された設定レベルと時間情報とに基づいて選択されるように設定されており、上述した読取処理を図３および図４に示すフローチャートに代えて図３および図７に示すフローチャートに基づいて演算処理している点が、上記第１実施形態に係る携帯電話と異なる。したがって、第１実施形態の携帯電話と実質的に同一の構成部分には、同一符号を付し、その説明を省略する。
【００５５】
本第４実施形態では、時間情報については、予め設定された設定日時Ｔ０に対して第１の時間だけ経過した日時が第１日時Ｔ１、上記設定日時Ｔ０に対して第２の時間だけ経過した日時が第２日時Ｔ２と設定され、設定レベルについては、上記第３実施形態と同様に予めメモリ２５に記憶されたキー情報に応じて優位性の高い方から第２レベルおよび第１レベルの２つの設定レベルが設定されている。ここで、第１日時Ｔ１および第２日時Ｔ２は、例えば、１２月２０日および１２月３１日に設定されている。また、設定レベルと時間情報とに基づいて選択される読取情報としては、第１情報および第２情報の２つの情報があり、第１情報としては１０％引きクーポンの情報が出力されて表示され、第２情報としては２０％引きクーポンの情報が出力されて表示される。
【００５６】
以下、本第４実施形態における読取処理について、図３および図７に示すフローチャートを参照して詳細に説明する。上記第１実施形態と同様に、図３のステップＳ１０１からの処理がなされてステップＳ１１３にてＹｅｓと判定されると、図７のステップＳ３０１にて現時点における日時が実施日時Ｔとして取得される。そして、ステップＳ３０３にて既にメモリ２５に記憶されたキー情報に応じて設定レベルが取得される。
【００５７】
次に、ステップＳ３０５にて実施日時Ｔが第１日時Ｔ１（１２月２０日）を経過しているか否かについて判定される。ここで、実施日時Ｔが第１日時Ｔ１を経過していなければ、ステップＳ３０５にてＮｏと判定されて、ステップＳ３０７にて取得された設定レベルがレベル２か否かについて判定される。ここで、メモリ２５に記憶されたキー情報に応じて上記ステップＳ３０３にて取得された設定レベルがレベル２である場合には、ステップＳ３０７にてＹｅｓと判定されて、ステップＳ３０９にてレベル２情報出力処理がなされる。この処理では、レベル２情報として、２０％引きクーポンの情報を表示部２４に表示するための出力処理がなされる。これにより、使用者は、２０％引きクーポンが表示された表示部２４を店員等に見せることで、上記掲載商品を２０％引きで購入することができる。
【００５８】
上述したステップＳ３０７において、上記ステップＳ３０３にて取得された設定レベルがレベル２でない場合には（Ｓ３０７でＮｏ）、ステップＳ３１１にて設定レベルがレベル１か否かについて判定される。ここで、メモリ２５に記憶されたキー情報に応じて上記ステップＳ３０３にて取得された設定レベルがレベル１である場合には（Ｓ３１１でＹｅｓ）、ステップＳ３１３にてレベル１情報出力処理がなされる。この処理では、レベル１情報として、例えば、１０％引きクーポンの情報を表示部２４に表示するための出力処理がなされる。これにより、使用者は、１０％引きクーポンが表示された表示部２４を店員等に見せることで、上記掲載商品を１０％引きで購入することができる。なお、設定レベルに関するキー情報がメモリ２５に記憶されていない場合には、ステップＳ３１１にてＮｏと判定されて、デコード結果を出力することなく当該読取処理が終了する。
【００５９】
上述したステップＳ３０５において、実施日時Ｔが第１日時Ｔ１を経過していることからＹｅｓと判定されると、ステップＳ３１５にて実施日時Ｔが第２日時Ｔ２（１２月３１日）を経過しているか否かについて判定される。ここで、実施日時Ｔが第２日時Ｔ２を経過していなければ、ステップＳ３１５にてＮｏと判定される。そして、設定レベルを考慮することなく、上記ステップＳ３０９にて第２情報出力処理がなされる。なお、実施日時Ｔが第２日時Ｔ２を経過すると、期限切れであり各割引情報を消失させるために、ステップＳ３１５にてＹｅｓと判定されて、デコード結果を出力することなく当該読取処理が終了する。
【００６０】
以上説明したように、本第４実施形態に係る携帯電話１０は、第１および第２情報とこれら各情報のいずれか１つを設定レベルおよび時間情報に応じて選択するための選択基準を有する命令コードとが含まれる情報コードを読取対象とする。これにより、１つの情報コードを読み取る場合でも、当該携帯端末の優位性等に応じた設定レベルと時間情報との双方を考慮して、その読み取り状況に応じた情報を選択して出力することができる。
【００６１】
なお、本発明は上記実施形態に限定されるものではなく、以下のように具体化してもよく、その場合でも、上記実施形態と同等の作用・効果が得られる。
（１）上記各実施形態において、時間情報および設定レベルの少なくともいずれかに応じて選択される情報は、割引クーポンに関する情報に限らず、例えば、低下させた販売商品の価格に関する情報など、優位性が段階的に区分けできる情報であってもよい。
【００６２】
（２）上記第１実施形態における時間情報は、第１日時Ｔ１，第２日時Ｔ２および第３日時Ｔ３の３段階に設定されることに限らず、読み取り状況に応じて２段階に設定されてもよいし、より詳細な優位性を設けるために４段階以上に設定されてもよい。また、上記第３実施形態における設定レベルは、第１レベル，第２レベルおよび第３レベルの３段階に設定されることに限らず、読み取り状況に応じて２段階に設定されてもよいし、より詳細な優位性を設けるために４段階以上に設定されてもよい。他の実施形態においても同様の作用効果を奏する。
【００６３】
（３）本発明は、携帯電話に適用されることに限らず、バーコードリーダやカメラ付きＰＤＡなどの光学的に情報を読み取る光学的情報読取読取装置に適用されてもよい。
【符号の説明】
【００６４】
１０…携帯電話（携帯端末）
２１…制御部
２２…撮像部
２４…表示部
２５…メモリ（記憶手段）
Ｔ…実施日時
Ｔ０…設定日時
Ｔｓ…基準日時
Ｔ１〜Ｔ３…日時
ΔＴ，ΔＴ１〜ΔＴ３…経過時間
【図１】
2011170434.tif 000003
【図２】
2011170434.tif 000004
【図３】
2011170434.tif 000005
【図４】
2011170434.tif 000006
【図５】
2011170434.tif 000007
【図６】
2011170434.tif 000008
【図７】
2011170434.tif 000009